(57)【要約】【課題】  屋外から屋内へ撮影現場を移した際にあっても、屋内の汚れや損傷を防止することができる三脚のスプレッダカバーの提供。【解決手段】  三脚の最下位に、三つの脚部０，０，０相互の開きを調節すべくＹ字状に連結された三辺が各々伸縮可能に設けられ、且つ接地部材としての構造を兼ね備えたスプレッダ用のカバーであって、前記スプレッダの一辺の下面全体を覆い、当該スプレッダの一辺の最伸長より長く、且つ余剰長部分が長手方向への折り返し片２となる下当て１と、当該下当て１の両側縁から延出しそれぞれが前記下当て１の上に異なる側から折り重なる上重ね片３とを備え、前記両上重ね片３の面同士を重ね合わせて固定する定着手段４を備える三脚のスプレッダカバー。【選択図】      図１（Ａ）（Ｂ）
2005208214.tif 000002
【特許請求の範囲】
【請求項１】
三脚の最下位に、三つの脚部（０，０，０）相互の開きを調節すべくＹ字状に連結された三辺が各々伸縮可能に設けられ、且つ接地部材としての構造を兼ね備えたスプレッダ用のカバーであって、
前記スプレッダの一辺の下面全体を覆い、当該スプレッダの一辺の最伸長より長く、且つ余剰長部分が長手方向への折り返し片（２）となる下当て（１）と、当該下当て（１）の両側縁から延出しそれぞれが前記下当て（１）の上に異なる側から折り重なる上重ね片（３）とを備え、
前記両上重ね片（３）の面同士を重ね合わせて固定する定着手段（４）を備える三脚のスプレッダカバー。
【請求項２】
三脚の最下位に、三つの脚部（０，０，０）相互の開きを調節すべくＹ字状に連結された三辺が各々伸縮可能に設けられ、且つ接地部材としての構造を兼ね備えたスプレッダ用のカバーであって、
前記スプレッダの三辺の下面全体を覆うＹ字状を呈し、当該Ｙ字状を構成する各辺の長さが当該スプレッダの一辺の最伸長より長く、且つ余剰長部分が長手方向への折り返し片（２）となる下当て（１）と、当該下当て（１）の両側縁から延出しそれぞれが前記下当て（１）の上に異なる側から折り重なる上重ね片（３）とを備え、
前記両上重ね片（３）の面同士を重ね合わせて固定する定着手段（４）を備える三脚のスプレッダカバー。
【請求項３】
前記請求項１に記載の三脚のスプレッダカバーを、三角形の連結片（８）を介して三つ連結してなり、前記連結部は、前記連結片（８）の三辺に沿って各スプレッダカバー各々の基端部を縫合してなる前記請求項２に記載の三脚のスプレッダカバー。
【請求項４】
前記折り返し片（２）、両上重ね片（３，３）、及び下当て（１）を重ね合わせて固定する結束手段（５）を備える前記請求項１乃至請求項３のいずれかに記載の三脚のスプレッダカバー。
【請求項５】
面同士を重ね合わせて定着させる面ファスナーを前記定着手段（４）又は結束手段（５）に設けた前記請求項１乃至請求項４のいずれかに記載の三脚のスプレッダカバー。
【発明の詳細な説明】
【技術分野】
【０００１】
本発明は、三脚の脚部、特にグランド・スプレッダ・タイプの脚部を覆うカバーの構造に関するものである。
【背景技術】
【０００２】
カメラで静止画や動画の撮影を行う際には、カメラを三脚で支持固定する事が便宜であり、その構造も、各脚部が伸縮自在となるもの（例えば、特許文献１参照。）や、脚部の開きの安定化を図るべくスプレッダを設けたもの（例えば、特許文献２参照。）、更には、雪上や泥地等に設置しての撮影作業を行う際に、脚部の沈み込みの防止を図るべく脚部の最下位に比較的広い接地面積を確保し得る設置部材を兼ねたスプレッダ（グランド・スプレッダ）を設けたものが紹介されている。
【特許文献１】登録実用新案公報第３０２２９０２号
【特許文献２】特開２００３−７５９０８号公報
【発明の開示】
【発明が解決しようとする課題】
【０００３】
しかしながら、三脚は、屋外で用いられることもあれば屋内で用いられることもあり、仮に、雪上や泥地等の屋外から、畳や板張りの屋内に移動して撮影作業を行うともなれば、特に三脚の脚部を清掃しない限り、屋内の三脚設置個所に雪や泥を持ち込むこととなるが、撮影作業の途中に被写体を静止させて待たせておくことも出来ず、撮影の為という名目を以て屋内の汚れを甘受しなければならない状況となっていた。
【０００４】
本発明は、上記実情に鑑みてなされたものであって、屋外から屋内へ撮影現場を移した際にあっても、屋内の汚れや損傷を防止することができる三脚のスプレッダカバーの提供を目的とする。
【課題を解決するための手段】
【０００５】
上記課題を解決するためになされた本発明による三脚のスプレッダカバーは、三脚の最下位に、三つの脚部相互の開きを調節すべくＹ字状に連結された三辺が各々伸縮可能に設けられ、且つ接地部材としての構造を兼ね備えたスプレッダ用のカバーであって、前記スプレッダの一辺の下面全体を覆い、当該スプレッダの一辺の最伸長より長く、且つ余剰長部分が長手方向への折り返し片となる下当てと、当該下当ての両側縁から延出しそれぞれが前記下当ての上に異なる側から折り重なる上重ね片とを備え、前記両上重ね片の面同士を重ね合わせて固定する定着手段備えることを特徴とする。
【０００６】
前記スプレッダの三辺の下面全体を覆うＹ字状を呈し、当該Ｙ字状を構成する各辺の長さが当該スプレッダの一辺の最伸長より長く、且つ余剰長部分が長手方向への折り返し片となる下当てと、当該下当ての両側縁から延出しそれぞれが前記下当ての上に異なる側から折り重なる上重ね片とを備えた三辺一体化形状を採用しても良い。具体的には、前記スプレッダの一辺の下面全体を覆うタイプの三脚のスプレッダカバーを、三角形の連結片を介して三つ連結してなり、前記連結部は、前記連結片の三辺に沿って各スプレッダカバー各々の基端部を縫合してなる構成があげられる。
【０００７】
尚、更に、前記折り返し片、両上重ね片、及び下当てを重ね合わせて固定する結束手段を設けても良く、面同士を重ね合わせて定着させる面ファスナーを前記両上重ね片相互の定着手段に、又は前記折り返し片、両上重ね片、及び下当てを重ね合わせて固定する結束手段に設けても良い。
【発明の効果】
【０００８】
上記本発明による三脚のスプレッダカバーによれば、屋外から屋内、或いは屋内から屋外へといった撮影箇所の頻繁な移動が伴う撮影作業を行う場合であっても、三脚の脚部の清掃を要せず、屋内の三脚設置個所を汚したり傷つけたりすることもなくなり、作業の中断がなく、撮影場所で苦情を受けることのない、迅速で良心的な撮影作業が可能となる。
【発明を実施するための最良の形態】
【０００９】
以下、本発明による三脚のスプレッダカバーの実施の形態を図面に基づき説明する。
ここで説明する例は、三脚の最下位に、三つの脚部０，０，０相互の開きを調節すべくＹ字状に連結された三辺が各々伸縮可能に設けられ、且つ接地部材としての構造を兼ね備えたスプレッダ用のカバーである。
【実施例】
【００１０】
第１の実施例は、ポリエステル等の合成樹脂を素材とした厚手の不織布（所謂、パンチカーペット等）からなり（タフト生地を用いても良い）、例えば、図１（Ａ）の如く単一のスプレッダカバーがスプレッダが備える三辺のうちの一辺のみをカバーする形態のものである。この例は、前記スプレッダの下面の全体を覆う下当て１が、当該スプレッダの平面形状（上から見た形状）より多少大きめの方形状に設定され、伸縮可能な当該スプレッダの一辺の最伸長より長く設定されている（図３参照）。
【００１１】
また、前記下当て１の両側縁から、当該下当て１の基端部（装着時において前記スプレッダの分岐点寄りの端部）から前記スプレッダの一辺の最短長分（最も短い状態での長さ分）に亘る長さの上重ね片３がそれぞれ延設され、それぞれの上重ね片３は、前記下当て１の上に異なる側から折り重なる様に幅が定められた方形状に裁断されている（図２及び図３参照）。
【００１２】
前記一対の上重ね片３，３には、当該両上重ね片３同士を相互に重ね合わせて固定する定着手段４として、合成樹脂繊維からな数多くの弾性フックとループとの掛かり合いを以て着脱自在な面接合を実現する所謂面ファスナー（マジックテープとも呼ばれる）が用いられており、両上重ね片３，３の両端部における重ね合わさった際に相接する面の向かい合う領域に、前記面ファスナーの雄片と雌片が対となるように各々逢着されている。
【００１３】
前記各上重ね片３と下当て１の境界部分は、それぞれ下当て１の上面に折り重なる状態に折り曲げた形で縫い目が形成されている。その結果、前記上重ね片３が下当て１の上面に折り重なる状態が維持され、元の平たい状態への復元が阻止される。この様な縫い処理と前記厚手素材の選択とが相俟って適度な保形性が与えられ、前記スプレッダへの装着が容易となるばかりか、外れて紛失することも防止できる。また、上記のごとく定着手段４として選択される面ファスナー等に強度な接着力を要求することも無くなり、脱着も容易なものとなる。
【００１４】
更に、当該下当て（折り返し片２）１の先端部（前記基端部の反対側にあたる端部）の僅か（脚部０の先端部に設けられた支持部６を避け得る寸法が有ればよい）に基端部寄りには、前記下当て１の左右側縁部から当該下当て１の幅方向外側へ延出する状態で、当該全幅とほぼ等しい長さの結束ベルト７がそれぞれ逢着されている。
【００１５】
当該逢着された一対の結束ベルトには、左右一方の表裏いずれかの面に前記雄片を定着すると共に、左右もう一方の表裏もう一方の面に前記雌片を定着する形で面接合手段たる前記面ファスナーが逢着されている(図１参照)。その結果、前記下当て１が折り返された際と折り返されなかった際のいずれにあっても、前記面ファスナーを備える結束ベルト７が前記結束手段５として機能出来ることとなる。
【００１６】
以上の構成を備えた三脚のスプレッダカバーは、前記スプレッダカバーの各辺を覆い包む形で装着される。即ち、各辺の下面に下当て１をあてがうと共に、前記スプレッダの伸縮状況によっては、当該スプレッダの下面を覆うことなく余った余剰長部分（折り返し片３）を当該下当て１の下へ折り返し(図４参照)、当該スプレッダにおける各辺の上面を覆う様に前記両上重ね片３，３を重ね合わせ、前記の如く、両上重ね片３，３に逢着された面ファスナーの雌雄片を接合させることによって比較的容易に装着できる。
【００１７】
更に、必要に応じ、前記結束ベルト７によって、前記両上重ね片３，３及び下当て１、並びにそれらに覆い包まれるスプレッダの一辺、更には折り返し片２を重ね合わせて結束することも出来る。
【００１８】
図１（Ｂ）は、本発明による三脚のスプレッダカバーの第２の実施例を示したものである。
この例は、前記スプレッダの三辺の下面全体を覆うＹ字状を呈する様に、上記第１の実施例として示したスプレッダカバーを、三角形の連結片８を介して三つ連結したものである(図５参照)。当該連結に際しては、前記連結片８の三辺に沿って、三つのスプレッダカバー各々の基端部の縁辺を縫合し、前記三辺を以て各スプレッダカバーが各々の裏面側へ容易に折り曲げられる様な構造とされている。当該構成によって、当該スプレッダカバーが脱着いずれの場合にあるとに関わらず、コンパクトに折り畳みやすくなり、より実用性が高まることとなる。
【産業上の利用可能性】
【００１９】
グランド・スプレッダ・タイプの三脚が普及する上で、撮影箇所の汚れ防止という一つの問題点が解決し、三脚及びそのスプレッダカバー双方の更なる普及を図ることができる。
【図面の簡単な説明】
【００２０】
【図１（Ａ）（Ｂ）】（Ａ）は、本発明による三脚のスプレッダカバーの第１の実施例を示す斜視図であり、（Ｂ）は、本発明による三脚のスプレッダカバーの第２の実施例を示す斜視図である。
【図２（Ａ）（Ｂ）】本発明による三脚のスプレッダカバーの最短長時におけるスプレッダに装着する手順を簡略に示した斜視図である。
【図３（Ａ）（Ｂ）】本発明による三脚のスプレッダカバーの最伸長時におけるスプレッダに装着する手順を簡略に示した斜視図である。
【図４】本発明による三脚のスプレッダカバーのスプレッダの伸縮状況に応じた折り返し方を簡略に示した斜視図である。
【図５】本発明による三脚のスプレッダカバーの第２の実施例における各辺を覆うスプレッダの連結部の状態を簡略に示した平面図である。
【符号の説明】
【００２１】
０  脚部，１  下当て，２  折り返し片，３  上重ね片，４定着手段，
５  結束手段，６  支持部，７  結束ベルト，８  連結片，
【図１（Ａ）（Ｂ）】
2005208214.tif 000003
【図２（Ａ）（Ｂ）】
2005208214.tif 000004
【図３（Ａ）（Ｂ）】
2005208214.tif 000005
【図４】
2005208214.tif 000006
【図５】
2005208214.tif 000007